(57)【要約】【課題】ライブビュー表示等の第２撮影準備状態においてシャッタの動作を行う場合に、高速で駆動でき、タイムラグを短くしたカメラを提供する。【解決手段】ライブビュー表示モードに入ると、シャッタ先幕マグネットの吸着を解除し（Ｓ５）、シャッタ先幕を走行させ、ＣＣＤ２２１から出力に基づいてライブビュー表示を行う（Ｓ７）。このときシャッタ後幕マグネットはオン(吸着状態)を保持し、シャッタ開放状態を保つ。ＡＦスイッチがオンとなり（Ｓ１１）、ＴＴＬ位相差ＡＦによる測距を行う場合でも、シャッタ後幕は開放状態を保ち、シャッタチャージの負荷を減少させ、タイムラグを短くする。【選択図】  図４
2009122557.tif 000002
【特許請求の範囲】
【請求項１】
撮影光学系と、
上記撮影光学系からの光束を撮影可能な撮像手段と、
上記撮影光学系と上記撮像手段との間に配置されたフォーカルプレーンシャッタユニットと、
上記シャッタユニットを駆動可能な駆動ユニットと、
を有し、上記シャッタが閉鎖した状態の第１の撮影準備状態と、上記シャッタが開放した状態の第２の撮影準備状態が選択可能なカメラにおいて、
上記第２の撮影準備状態中にシャッタ駆動を行う場合には、上記シャッタの開放を維持した状態にて、上記駆動ユニットを駆動することを特徴とするカメラ。
【請求項２】
上記シャッタの後幕マグネットへの通電を継続することによって、開放を維持することを特徴とする請求項１に記載のカメラ。
【請求項３】
上記第２の撮影準備状態は、カメラがライブビュー状態であることを特徴とする請求項１に記載のカメラ。
【請求項４】
撮影光学系と、
上記撮影光学系からの光束を撮影可能な撮像手段と、
上記撮影光学系と上記撮像手段の間に配置されたフォーカルプレーンシャッタユニットと、
上記シャッタユニットを駆動可能な駆動ユニットと、
上記撮影光学系からの光束を用いて測距が可能な測距ユニットと、
上記撮影光学系からの光束を反射可能な挿入状態と、上記撮影光学系からの光束から退避した退避状態とに移動可能な反射部材と、
を有し、
上記反射部材が挿入状態かつ上記シャッタが閉鎖した状態の第１の撮影準備状態と、上記反射部材が退避状態かつ上記シャッタが開放した状態の第２の撮影準備状態が選択可能なカメラにおいて、
上記第２の撮影準備状態中に測距動作を行う場合には、上記シャッタの開放を維持した状態にて上記駆動ユニットを駆動することを特徴とするカメラ。
【請求項５】
上記第２の撮影準備状態は、カメラがライブビュー状態であることを特徴とする請求項４に記載のカメラ。
【請求項６】
上記第１の撮影準備状態は、測距が可能な状態であることを特徴とする請求項４に記載のカメラ。
【請求項７】
上記駆動ユニットは、上記シャッタユニットに加えて上記反射部材の駆動を行うことを特徴とする請求項４に記載のカメラ。
【請求項８】
上記第１の撮影準備状態は、上記反射部材が挿入状態であり、直ちに上記測距が可能な状態であることを特徴とする請求項４に記載のカメラ。
【請求項９】
撮影光学系と、
上記撮影光学系からの光束を撮影可能な撮像手段と、
上記撮影光学系と上記撮像手段との間に配置されたフォーカルプレーンシャッタユニットと、
上記シャッタユニットを駆動可能な駆動ユニットと、
を有し、上記シャッタが閉鎖した状態の第１の撮影準備状態と、上記シャッタが開放した状態の第２の撮影準備状態が選択可能なカメラにおいて、
上記第２の撮影準備中にＴＴＬ位相差ＡＦを行う場合には、上記シャッタを開放したままの状態で、上記駆動ユニットを駆動することを特徴とするカメラ。
【請求項１０】
撮影光学系と、
上記撮影光学系からの光束を撮影可能な撮像手段と、
上記撮影光学系とファインダ光学系の間に配置した反射部材と、
上記反射部材を駆動可能な反射部材駆動ユニットと、
を有し、上記シャッタが閉鎖した状態の第１の撮影準備状態と、上記シャッタが開放した状態の第２の撮影準備状態が選択可能なカメラにおいて、
上記第２の撮影準備中に上記反射部材の駆動を行う場合には、上記シャッタを開放したままの状態で、上記駆動ユニットを駆動することを特徴とするカメラ。
【発明の詳細な説明】
【技術分野】
【０００１】
本発明は、カメラに関し、詳しくは、シャッタが閉鎖した第１撮影準備状態と、シャッタが開放した第２撮影準備状態の２つの状態を有するカメラに関する。
【背景技術】
【０００２】
近年、ライブビュー表示機能を有するカメラが知られており、例えば、特許文献１には、可動反射ミラーを撮影光路から退避させるとともにフォーカルプレーンシャッタを全開状態にして被写体像を撮像素子に導き、それによって得られた被写体像を連続的に液晶モニタに表示するようにしたライブビュー可能なデジタル一眼レフカメラが開示されている。この特許文献１に開示のカメラでは、フォーカススイッチがオンとなると、可動反射ミラーを撮影光路中に挿入させ、いわゆるＴＴＬ位相差ＡＦによって焦点ズレ量の検出を行い、この焦点ズレ量に基づいて焦点調節を行っている。焦点調節動作が終わると、可動反射ミラーを撮影光路から退避させ、ライブビュー表示を再開している。
【特許文献１】特開２００５−２０３９７号公報
【０００３】
ライブビュー表示中に自動焦点調節動作を行った場合の電源消費について図６を用いて説明する。図６において、横軸は時間の経過を示し、縦軸は電力を示す。ライブビュー表示中に（図中の（６））、ＡＦスイッチがオンとなると、自動焦点調節動作を開始する。まず、可動反射ミラーをダウンし撮影光学系の光路中に挿入し（挿入状態）、またシャッタのバネ等の付勢部材のチャージを行う（図中の「ミラーダウン  シャッタチャージ」）。このときの電源供給はＥ１となっている。続いて、測光、測距および演算を行う（図中の（１））。すなわち、可動反射ミラーを介して被写体光束を測距センサが受光し、撮影光学系の焦点ズレ量を求める。また、測光センサで被写体輝度を測光する。
【０００４】
測距・演算等が終わると、続いて、シャッタマグネットをオンし、すなわちシャッタ先幕および後幕を保持するマグネットを吸着状態にする（図中の（４））。そして、可動反射ミラーを上昇位置に移動させると共に（退避状態、図中の「ミラーアップ」）、撮影レンズを合焦位置に向けて駆動する（図中の（２））。ミラーアップが終わると、ライブビュー表示を再開する（図中の（６））。これら一連の動作、すなわち、ＡＦスイッチがオンとなってから、ライブビュー表示を再開するまでに、種々の処理を実行するのに時間ｔ１を要していた。
【発明の開示】
【発明が解決しようとする課題】
【０００５】
このように、ライブビュー表示中にＴＴＬ位相差ＡＦを行う場合には、その前後で、可動反射ミラーのダウンとアップを行わなければならず、測距に時間がかかってしまっていた。つまり、シャッタが閉鎖した第１撮影準備状態（例えば、光学ファインダでの観察状態）と、シャッタが開放した第２撮影準備状態（例えば、ライブビュー表示状態）の２つの状態を持つカメラにおいて、第２撮影準備状態において測距等を行う場合には、ほぼ１シーケンス分の可動反射ミラーとシャッタ動作が必要となるために、タイムラグが長くなってしまうという問題があった。
【０００６】
本発明は、このような事情を鑑みてなされたものであり、ライブビュー表示等の第２撮影準備状態においてシャッタの動作を行う場合に、高速で駆動でき、タイムラグを短くしたカメラを提供することを目的とする。
【課題を解決するための手段】
【０００７】
上記目的を達成するため第１の発明に係わるカメラは、撮影光学系と、上記撮影光学系からの光束を撮影可能な撮像手段と、上記撮影光学系と上記撮像手段との間に配置されたフォーカルプレーンシャッタユニットと、上記シャッタユニットを駆動可能な駆動ユニットと、を有し、上記シャッタが閉鎖した状態の第１の撮影準備状態と、上記シャッタが開放した状態の第２の撮影準備状態が選択可能なカメラにおいて、上記第２の撮影準備状態中にシャッタ駆動を行う場合には、上記シャッタの開放を維持した状態にて、上記駆動ユニットを駆動する。
【０００８】
第２の発明に係わるカメラは、上記第１の発明において、上記シャッタの後幕マグネットへの通電を継続することによって、開放を維持する。
また、第３の発明に係わるカメラは、上記第１の発明において、上記第２の撮影準備状態は、カメラがライブビュー状態である。
【０００９】
上記目的を達成するため、第４の発明に係わるカメラは、撮影光学系と、上記撮影光学系からの光束を撮影可能な撮像手段と、上記撮影光学系と上記撮像手段の間に配置されたフォーカルプレーンシャッタユニットと、上記シャッタユニットを駆動可能な駆動ユニットと、上記撮影光学系からの光束を用いて測距が可能な測距ユニットと、上記撮影光学系からの光束を反射可能な挿入状態と、上記撮影光学系からの光束から退避した退避状態とに移動可能な反射部材とを有し、上記反射部材が挿入状態かつ上記シャッタが閉鎖した状態の第１の撮影準備状態と、上記反射部材が退避状態かつ上記シャッタが開放した状態の第２の撮影準備状態が選択可能なカメラにおいて、上記第２の撮影準備状態中に測距動作を行う場合には、上記シャッタの開放を維持した状態にて上記駆動ユニットを駆動する。
【００１０】
第５の発明に係わるカメラは、上記第４の発明において、上記第２の撮影準備状態は、カメラがライブビュー状態である。
また、第６の発明に係わるカメラは、上記第４の発明において上記第１の撮影準備状態は、測距が可能な状態である。
さらに、第７の発明に係わるカメラは、上記第４の発明において、上記駆動ユニットは、上記シャッタユニットに加えて上記反射部材の駆動を行う。
さらに、第８の発明に係わるカメラは、上記第４の発明において、上記第１の撮影準備状態は、上記反射部材が挿入状態であり、直ちに上記測距が可能な状態である。
【００１１】
上記目的を達成するため、第９の発明に係わるカメラは、撮影光学系と、上記撮影光学系からの光束を撮影可能な撮像手段と、上記撮影光学系と上記撮像手段との間に配置されたフォーカルプレーンシャッタユニットと、上記シャッタユニットを駆動可能な駆動ユニットと、を有し、上記シャッタが閉鎖した状態の第１の撮影準備状態と、上記シャッタが開放した状態の第２の撮影準備状態が選択可能なカメラにおいて、上記第２の撮影準備中にＴＴＬ位相差ＡＦを行う場合には、上記シャッタを開放したままの状態で、上記駆動ユニットを駆動する。
【００１２】
上記目的を達成するため、第１０の発明に係わるカメラは、撮影光学系と、上記撮影光学系からの光束を撮影可能な撮像手段と、上記撮影光学系とファインダ光学系の間に配置した反射部材と、上記反射部材を駆動可能な反射部材駆動ユニットとを有し、上記シャッタが閉鎖した状態の第１の撮影準備状態と、上記シャッタが開放した状態の第２の撮影準備状態が選択可能なカメラにおいて、上記第２の撮影準備中に上記反射部材の駆動を行う場合には、上記シャッタを開放したままの状態で、上記駆動ユニットを駆動する。
【発明の効果】
【００１３】
本発明によれば、ライブビュー表示等の第２撮影準備状態においてシャッタの動作を行う場合に、高速で駆動でき、タイムラグを短くしたカメラを提供することができる。
【発明を実施するための最良の形態】
【００１４】
以下、図面に従って本発明を適用したデジタル一眼レフカメラを用いて好ましい一実施形態について説明する。図１は、本発明の一実施形態に係わるデジタル一眼レフレックスカメラの内部機構について、撮影レンズの光軸方向に沿った内部構成ブロック図である。
【００１５】
交換レンズ１００の内部に配置された撮影光学系１０１の光軸上であって、カメラ本体２００のミラーボックス内に可動反射ミラー２０１が配置されている。この可動反射ミラー２０１は、被写体光束をペンタプリズム２０７等のファインダ光学系に反射するために撮影光学系１０１の光軸に対して４５度傾いた反射位置と、被写体像を撮像素子ユニット２４中のＣＣＤ（Charge Coupled Device）２２１（図２参照）に導くために、撮影光路から退避した退避位置とに回動可能となっている。
【００１６】
可動反射ミラー２０１の回動軸は図１の紙面に対して垂直方向に沿っている。この可動反射ミラー２０１によって、上方に被写体光束を反射する。なお、本実施形態では、上方に反射しているが、これに限らず、カメラ本体の右方でも左方でも、被写体光束の反射方向は機構部材や光学部材の配置上、最も適切になるように選択してよい。
【００１７】
可動反射ミラー２０１の反射光軸上にフォーカシングスクリーン２０５が配置されている。これは撮影光学系１０１による被写体光束を結像させるための結像面であり、可動反射ミラー２０１からの距離が撮像ユニット２４中のＣＣＤ２２１と等価な位置に配設されている。フォーカシングスクリーン２０５の上方には、被写体像を左右反転させるためのペンタプリズム２０７が配置されている。ペンタプリズム２０７の後方には、接眼レンズ２０９が配置されており、撮影者は接眼部側から接眼レンズ２０９を覗いて被写体像の確認を行うことができる。ペンタプリズム２０７および接眼レンズ２０９によってファインダユニットが構成される。
【００１８】
可動反射ミラー２０１の中央付近はハーフミラーで構成されており、この可動反射ミラー２０１の背面には、ハーフミラー部を透過した被写体光束を反射するための測距用サブミラー２０３が設けられている。このサブミラー２０３は、可動反射ミラー２０１に対して回動可能であり、可動反射ミラー２０１が撮影光路から退避し、被写体光束が撮像ユニット２４のＣＣＤ２２１に入射しているときには、ハーフミラー部を覆う位置に回動し、可動反射ミラー２０１が図示の如き被写体像観察位置（挿入状態）にあるときには、可動反射ミラー２０１に対して起き上がって開となり測距ユニット２１に被写体光束の一部を反射可能となる位置にある。
【００１９】
サブミラー２０３の反射光路上に測距用センサを含むＴＴＬ位相差方式の測距回路２１７（図２参照）を含む測距ユニット２１が配置されており、測距ユニット２１によって、撮影光学系１０１によって結像される被写体像の焦点ズレ量を検出する。
【００２０】
可動反射ミラー２０１の後方には、フォーカルプレーンシャッタ２１３（図２）を含むシャッタユニット２３が配置されている。シャッタユニット２３の後方にはＣＣＤ２２１を含む撮像ユニット２４が配置されており、撮影レンズによって結像される被写体像を電気信号に光電変換する。
【００２１】
撮像ユニット２４の背面側には電気回路等の回路基板２５が配置されている。また、カメラ本体２００の背面であってユーザーが観察しやすい位置に液晶モニタ２６が配置されている。液晶モニタ２６はライブビュー表示、記録済みの画像データの再生表示および各種メニューモード等の各種表示を行う。なお、液晶モニタ２６はカメラ本体２００の背面に配置されるが、撮影者が観察できる位置であれば、背面に限らないし、また液晶に限らず有機ＥＬディスプレイ等、他の表示装置でも構わない。さらに、固定式に限らず、可動式のモニタであってもよい。
【００２２】
次に、図２を用いて、本実施形態に係わるデジタル一眼レフカメラの電気系を主とする全体構成を説明する。本実施形態に係わるデジタル一眼レフカメラは、交換レンズ１００とカメラ本体２００は別体で構成されており、両者は通信接点３００にて電気的に接続されている。なお、交換レンズ１００とカメラ本体２００を一体に構成することも可能である。
【００２３】
交換レンズ１００の内部には、焦点調節および焦点距離調節用の撮影光学系１０１と、開口量を調節するための絞り１０３が配置されている。撮影光学系１０１はレンズ駆動機構１０７によって駆動され、絞り１０３は絞り駆動機構１０９によって駆動されるよう接続されている。
【００２４】
レンズ駆動機構１０７、絞り駆動機構１０９はそれぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。
【００２５】
カメラ本体２００内には、前述したように可動反射ミラー２０１、サブミラー２０３、フォーカシングスクリーン２０５、ペンタプリズム２０７、接眼レンズ２０９が配置されている。可動反射ミラー２０１はミラー駆動機構２１９によって駆動されている。ペンタプリズム２０７の出射側には被写体像観察用の接眼レンズ２０９が配置され、この脇であって被写体像の観察に邪魔にならない位置に測光センサ２１１が配置されている。フォーカシングスクリーン２０５、ペンタプリズム２０７、接眼レンズ２０９はファインダ光学系の一部を構成している。
【００２６】
また、上述したように、可動ミラー２０１の背面にはサブミラー２０３が設けられており、このサブミラー２０３の反射方向に測距センサを含む測距回路２１７が配置されている。さらに、可動ミラー２０１の後方には、フォーカルプレーンタイプのシャッタ２１３が配置されており、このシャッタ２１３はシャッタ駆動機構２１５によって駆動制御される。また、シャッタ２１３の後方には撮像素子としてのＣＣＤ２２１が配置されており、撮影光学系１０１によって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。
【００２７】
ＣＣＤ２２１はＣＣＤ駆動回路２２３に接続され、このＣＣＤ駆動回路２２３によってアナログデジタル変換（ＡＤ変換）がなされる。ＣＣＤ駆動回路２２３はＣＣＤインターフェース２２５を介して画像処理回路２２７に接続されている。この画像処理回路２２７は色補正、ガンマ(γ)補正、コントラスト補正といった各種の画像処理を行う。また、液晶モニタ２６におけるライブビュー表示用の画像データの生成も行う。
【００２８】
画像処理回路２２７は、ＡＳＩＣ（Application Specific Integrated
Circuit 特定用途向け集積回路）２７１内のデータバス２６１に接続されている。このデータバス２６１には、画像処理回路２２７の他、ボディＣＰＵ２２９、圧縮伸張回路２３１、フラッシュメモリ制御回路２３３、ＳＤＲＡＭ制御回路２３６、入出力回路２３９、通信回路２４１、記録媒体制御回路２４３、ビデオ信号出力回路２４７、スイッチ検出回路２５３が接続されている。
【００２９】
データバス２６１に接続されているボディＣＰＵ２２９は、このデジタル一眼レフカメラのフローを制御するものである。またデータバス２６１に接続されている圧縮伸張回路２３１はＳＤＲＡＭ２３７に記憶された画像データをＪＰＥＧやＴＩＦＦで圧縮したり、逆に伸張するための回路である。なお、画像圧縮はＪＰＥＧやＴＩＦＦに限らず、他の圧縮方法も適用できる。
【００３０】
データバス２６１に接続されているフラッシュメモリ制御回路２３３は、フラッシュメモリ（Flash Memory）２３５に接続され、このフラッシュメモリ２３５は、一眼レフカメラのフローを制御するためのプログラムが記憶されており、ボディＣＰＵ２２９はこのフラッシュメモリ２３５に記憶されたプログラムに従ってデジタル一眼レフカメラの制御を行う。なお、フラッシュメモリ２３５は、電気的に書き換え可能な不揮発性メモリである。
【００３１】
ＳＤＲＡＭ２３７は、ＳＤＲＡＭ制御回路２３６を介してデータバス２６１に接続されており、このＳＤＲＡＭ２３７は、画像処理回路２２７によって画像処理された画像データまたは圧縮伸張回路２３１によって圧縮または伸張された画像データを一時的に記憶するためのバッファメモリである。
【００３２】
上述の測光センサ２１１、シャッタ駆動機構２１５、測距回路２１７およびミラー駆動機構２１９に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。
【００３３】
データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。
【００３４】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７、記録媒体２４５に記憶された画像データを、液晶モニタ２６に表示するためのビデオ信号に変換するための回路である。
【００３５】
シャッタレリーズ釦の第1ストローク（半押し）や第２ストローク（全押し）を検出するスイッチ（１ｓｔレリーズスイッチ、２ｎｄレリーズスイッチ）、ライブビュー表示を指示するスイッチ、再生モードを指示するスイッチ、液晶モニタ２６の画面でカーソルの動きを指示するするスイッチ、撮影モードを指示するスイッチ、選択された各モード等を決定するＯＫスイッチ等の各種スイッチ２５５およびレンズ着脱検出スイッチ２５７は、スイッチ検出回路２５３を介してデータバス２６１に接続されている。
【００３６】
次に、レリーズ釦が半押しされ、続いて全押しされ撮影動作を行うときの必要な電力量について、図３を用いて説明する。図中、横軸は時間の経過を示し、縦軸は電力量を表す。レリーズ釦が半押しされ、１ｓｔレリーズスイッチがオンとなると、測光・測距・演算を行う（図中の（１））。すなわち、測光素子２１１の出力に基づいて測光が行われ、測距回路２１７の出力に基づいて測距が行われ、ボディＣＰＵ２２９によって測光と測距の演算が行われる。
【００３７】
なお、この図３は、シャッタ２１３の閉鎖状態で光学ファインダを介して被写体像を観察している状態において、１ｓｔレリーズスイッチがオンとなった状態を示している。シャッタ２１３が開放した状態でライブビュー表示によって被写体像を観察している状態において、１ｓｔレリーズスイッチがオンとなる場合には、それ以前から、シャッタ後幕保持用のマグネットは通電状態となっている。
【００３８】
続いて、レンズ駆動が行われる（図中の（２））。このレンズ駆動は、測距演算結果に基づく焦点ズレ量に応じて撮影光学系１０１が合焦位置に達するように、レンズＣＰＵ１１１を介してレンズ駆動機構１０７が撮影光学系１０１を駆動する。レンズ駆動が終わるとスタンバイ状態となり（図中の（３））、光学ファインダ内表示等を行う。
【００３９】
撮影者が構図を決定し、レリーズ釦の全押しを行うと、すなわち２ｎｄレリーズスイッチがオンとなると、撮影動作に入る。まず、フォーカルプレーンシャッタ２１３の先幕と後幕を保持するシャッタマグネットに通電する（図中の（４））。なお、ライブビュー表示状態で２ｎｄレリーズスイッチがオンとなった場合には、それ以前より後幕保持用シャッタマグネットは通電状態であることから、これに加えて先幕保持用シャッタマグネットに通電する。マグネットの通電開始から少し遅れて、ミラーアップと絞込みを開始する（図中の「ミラーアップ」および「絞込み」）。
【００４０】
ミラーアップは、ミラー駆動機構２１９を介して可動反射ミラー２０１を、撮影光学系１０１の光路中に挿入した状態（挿入状態）から、光路から退避した状態（退避状態）に回動させる。また、絞込みは、開放状態から露光演算で求めた絞り値もしくは手動設定絞り値まで、レンズＣＰＵ１１１を介して絞り駆動機構１０９が絞り１０３を駆動する。
【００４１】
続いて、シャッタ先幕保持用のシャッタマグネットの吸着が解除されると、シャッタ先幕が走行を開始して露光が開始され、ＣＣＤ２２１上に被写体像が結像する（図中の（５））。所定の露光時間が経過すると、シャッタ後幕保持用のシャッタマグネットの吸着が解除され、シャッタ後幕が走行を開始し、露光が終了する。
【００４２】
露光が終了すると、ミラーダウンおよびシャッタチャージ、画像データの読み出し、絞りリセットを開始する（図中に同名のラベルで表示）。絞りリセットは、絞込み状態から開放絞り値まで、レンズＣＰＵ１１１を介して絞り駆動機構１０９が絞り１０３を駆動する。画像データ読み出しは、ＣＣＤ２２１で光電変換された信号電荷をＣＣＤ駆動回路２２３によって読み出し、ＣＣＤインターフェース回路２２５、画像処理回路２２７等によって画像データとして読み出し処理する。
【００４３】
ミラーダウンは、ミラー駆動機構２１９を介して可動反射ミラー２０１を、撮影光学系１０１の光路から退避した状態（退避状態）から、光路中に挿入した状態（挿入状態）に回動させる。シャッタチャージは、シャッタ先幕および後幕を付勢する弾性部材のチャージである。また、ミラーダウン動作時にも、可動反射ミラー２０１を上昇方向（退避状態）に付勢された弾性部材をバネチャージしている。これらの弾性部材をチャージするために、ミラーダウンおよびシャッタチャージ時には、供給電力がＥ１と大きくなる。
【００４４】
なお、絞りリセット、画像データ読み出し、ミラーダウンおよびシャッタチャージを同時に行うことから、それぞれに供給できる電力は、供給可能上限電力を越えない程度に配分されている。このような従来の電力の配分でライブビュー表示中のＡＦ動作を行うと、前述したように時間ｔ１となり、露光に要する時間（正確には、図３中の（５）にかかる撮像のための時間を除く）ｔａ＋ｔｂと、略同じになってしまう。
【００４５】
次に、ライブビュー表示中に、ＡＦスイッチが操作されＴＴＬ位相差ＡＦによる自動焦点調節を行う場合に必要な電力量について、図４を用いて説明する。図中、横軸は時間の経過を示し、縦軸は電力量を表す。ＡＦスイッチが操作され、オンとなる前は、ライブビュー表示がなされている（図中の（６））。ライブビュー表示は、ＣＣＤ２２１によって周期的に画像データを取得し、これを液晶モニタ２６に被写体像の観察用として表示するものである。なお、ＡＦスイッチとしては、レリーズ釦の半押しに応答するスイッチ、フォーカスロック釦に連動するスイッチ、またはＡＦ操作指令専用釦に連動するスイッチ等が利用できる。
【００４６】
ライブビュー表示に入ると、前述したように、シャッタ２１３の後幕保持用マグネットは、通電されており(図中の（７）)、マグネット通電のために電力量Ｅ３が供給されている。この電力量Ｅ３は、図中には誇張して描いてあるが、大体、３０ｍＡ〜４０ｍＡ程度であり、シャッタ２１３や可動反射ミラー２０１のチャージに要する電力量に比較する微々たる量である。
【００４７】
撮影者が被写体に対してピント合わせを行わせるべくＡＦスイッチを操作すると（図４中の「ＡＦ  ＳＷ  オン」）、ミラーダウンおよびシャッタチャージを行う（図４の「ミラーダウン  シャッタチャージ」）。このときは、後幕保持用マグネットに通電したまま、シャッタ２１３を開放状態で可動反射ミラー２０１をダウンさせ（挿入状態）、シャッタチャージをおこなっている。このため、後幕走行用の付勢部材のチャージに要する電力量が少なくてすむことから、このときの電力量Ｅ２は、通常の撮影時におけるミラーダウン・シャッタチャージに要する電力量Ｅ１より少なくても済む。また、マグネット保持用の電力量Ｅ４は、電力量Ｅ３の約半分で済む。
【００４８】
ミラーダウンとシャッタチャージが終わると、続いて、測光・測距・演算を、１ｓｔレリーズスイッチがオンしたとき（図３参照）と同様に行う。続いて、レンズ駆動（図４中の（２））、ミラーアップ（図４中の「ミラーアップ」）、シャッタマグネットのオン（図４中の（４））を行う。これらが終わると、ライブビュー表示を再開する（図４中の（６））。
【００４９】
従来のライブビュー表示中のＡＦ動作の実行には、撮影時と同様の電力が供給されるために、ＡＦ動作に時間ｔ１（ｔ１≒ｔa＋ｔb）を要していた（図６参照）。これに対して、本実施形態においては、ライブビュー表示中は、後幕保持用のマグネットに通電し、後幕を開放状態に保持していることから、ライブビュー表示中のＡＦ動作の実行にあたって、ミラーダウン時のシャッタチャージに要する電力量はＥ２で済む。すなわち、電力を供給される負荷装置側の負荷量が減ることから、電力量Ｅ２でも動作の高速化を図ることができ、ＡＦスイッチがオンとなってからライブビュー表示を再開するまでのＡＦ動作に要する時間を時間ｔ２（ｔ２＜ｔ１）まで短縮することができる。
【００５０】
次に、ライブビュー表示中のＡＦ動作の実行について、図５に示すフローチャートを用いて説明する。ライブビュー表示モードを指示する操作部材が操作されると、ライブビュー表示モードになる。ライブビュー表示モードに入ると、まず、フォーカルプレーンシャッタ２１３のシャッタ先幕と後幕をそれぞれ保持するシャッタ先幕マグネットおよびシャッタ後幕マグネットをオンとする（Ｓ１）。
【００５１】
この後、可動反射ミラー２０１をアップ、すなわち退避状態の位置に移動させる（Ｓ３）。続いて、シャッタ先幕マグネットの吸着を解除し、シャッタ先幕を走行させ、シャッタ２１３の開放を行う（Ｓ５）。
【００５２】
次に、ライブビュー撮像および表示を行う（Ｓ７）。すなわち、この状態では、可動反射ミラー２０１は退避しており、またシャッタ２１３も開放状態であることから、撮影光学系１０１を通過した被写体光束は遮るものがなく、ＣＣＤ２２１上に結像する。このＣＣＤ２２１から画像データを取得し、液晶モニタ２６にライブビュー表示を行う。
【００５３】
続いて、ライブビュー表示を継続するか否かの判定を行う（Ｓ９）。ライブビュー表示を停止するために操作部材が操作されたか否かの判定である。判定の結果、続行する場合には、次に、ＡＦスイッチがオンか否かの判定を行う（Ｓ１１）。判定の結果、ＡＦスイッチがオンとなっていなかった場合には、ステップＳ７に戻り、ライブビュー表示を続行する。
【００５４】
判定の結果、ＡＦスイッチがオンであった場合（図４のＴ11のタイミング）には、撮像を停止する（Ｓ１３）。すなわち、ＣＣＤ２２１による画像データの取得を停止する。続いて、最終フレームを静止画像として液晶モニタ２６に表示する（Ｓ１５）。ＡＦ動作中もＣＣＤ２２１から画像データを取得し、表示すると、画像が乱れ見苦しいため、最終画像でフリーズ表示している。
【００５５】
続いて、ミラーダウンおよびシャッタチャージを開始する（Ｓ１９、図４のＴ11のタイミング）。ミラーダウンおよびシャッタチャージは、可動反射ミラー２０１を退避状態から挿入状態に移動させると共に、シャッタ２１３の弾性部材等のチャージを行う。なお、シャッタ２１３の後幕を保持しているシャッタマグネットの吸着は保持されているので、シャッタ後幕は開放状態のままである。
【００５６】
ミラーダウンおよびシャッタチャージが終わると、測距を行う（Ｓ２１、Ｔ12のタイミング）。測距は前述したのと同様、サブミラー２０３によって反射された被写体光束を用いてＴＴＬ位相差測距により行う。また、測光も同様に行う。測距が終わると、シャッタ先幕保持用のシャッタマグネットを吸着保持すべくオンする（Ｓ２３、Ｔ13のタイミング）。なお、後幕保持用のシャッタマグネットは、ステップＳ１においてオンとなったまま、吸着保持している。
【００５７】
また、少し遅れて可動反射ミラー２０１のアップ動作、すなわち退避状態となるように可動反射ミラー２０１を駆動する（Ｓ２５、Ｔ14のタイミング）。同時に、測距結果に基づいて撮影光学系１０１を合焦位置に向けて駆動する。ミラーアップが終わると、ライブビュー表示を再開すべくステップＳ５に戻り、前述の動作を実行する（Ｔ15のタイミング）。
【００５８】
ステップＳ９における判定の結果、ライブビュー表示を終了する場合には、ＣＣＤ２２１による撮像と、液晶モニタ２６におけるライブビュー表示を停止する（Ｓ３１）。そして、シャッタ２１３の後幕マグネットをオフし、シャッタ後幕を走行させてシャッタ２１３を閉鎖する（Ｓ３３）。続いて、ミラーダウンおよびシャッタチャージを行う（Ｓ３５）。
【００５９】
以上、説明したように、本実施形態においては、シャッタが閉鎖した第１撮影準備状態（例えば、光学ファインダでの観察状態）と、シャッタが開放した第２撮影準備状態（例えば、ライブビュー表示状態）の２つの状態を持つカメラにおいて、第２撮影準備状態において測距等を行う場合には、第２の撮影準備状態中にシャッタ駆動を行う場合には、シャッタの開放を維持した状態にて、駆動ユニットを駆動している。このため、シャッタチャージに要する負荷が小さくなり、その結果、シャッタ２１３のシャッタチャージを高速に駆動することができ、ＡＦ動作を実行するにあたってタイムラグを短くすることができる。
【００６０】
なお、本実施形態においては、ライブビュー表示中にＡＦスイッチがオンとなった場合、ミラーダウンおよびシャッタチャージ（Ｓ１９）、および測距後のミラーアップ（Ｓ２５）の際に、供給する電力量は撮影時における対応する動作の電力量と同じ通常電力量を供給していた。しかし、少なくともいずれか１つのステップにおいて、供給電力量を増加させることにより、ＡＦ動作のさらなる高速化を図ることができる。
【００６１】
また、本実施形態においては、シャッタ２１３のシャッタチャージと、可動反射ミラー２０１のダウンを一緒に行っていたが、別々のタイミングで行ってもよく、その場合には、シャッタ２１３および可動反射ミラー２０１のうちのいずれか一方のみにおいて駆動方式を変更するようにしても勿論かまわない。
【００６２】
さらに、本実施形態においては、電力は直流電流で供給していたが、パルス電流でもよく、この場合には、駆動方式の変更に応じて平均的な電力量が変わるようにすればよい。さらに、測距ユニット２１へはサブミラー２０３によって被写体光束が導かれていたが、ハーフミラー等によって。被写体光束を導くようにしても勿論かまわない。
【００６３】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【００６４】
【図１】本発明の一実施形態に係わるデジタル一眼レフカメラにおいて、撮影レンズの光軸方向に沿った内部構成を示す図である。
【図２】本発明の一実施形態に係るデジタル一眼レフカメラの主として電気系の全体構成を示すブロック図である。
【図３】本発明の一実施形態に係わるデジタル一眼レフカメラの撮影動作時における必要な電力量を示す図である。
【図４】本発明の一実施形態に係わるデジタル一眼レフカメラのライブビュー表示中にＡＦ動作時を行なう場合の必要な電力量を示す図である。
【図５】本発明の一実施形態におけるデジタル一眼レフカメラのライブビュー表示動作のフローチャートである。
【図６】従来のデジタル一眼レフカメラのライブビュー表示中にＡＦ動作時を行なう場合の必要な電力量を示す図である。
【符号の説明】
【００６５】
２１・・・測距ユニット、２３・・・シャッタユニット、２４・・・撮像ユニット、２５・・・回路基板、２６・・・液晶モニタ、１００・・・交換レンズ、１０１・・・撮影光学系、１０３・・・絞り、１０７・・・光学系駆動機構、１０９・・・絞り駆動機構、１１１・・・レンズＣＰＵ、２００・・・カメラ本体、２０１・・・可動反射ミラー、２０３・・・サブミラー、２０５・・・フォーカシングスクリーン、２０７・・・ペンタプリズム、２１１・・・測光センサ、２１３・・・フォーカルプレーンシャッタ、２１５・・・シャッタ駆動機構、２１７・・・測距回路、２１９・・・ミラー駆動機構、２２１・・・ＣＣＤ、２２３・・・ＣＣＤ駆動回路、２２５・・・ＣＣＤインターフェース、２２７・・・画像処理回路、２２９・・・ボディＣＰＵ（シーケンスコントローラ）、２３１・・・圧縮伸張回路、２３３・・・フラッシュメモリ制御回路、２３５・・・フラッシュメモリ、２３６・・・ＳＤＲＡＭ制御回路、２３７・・・ＳＤＲＡＭ、２３９・・・入出力回路、２４１・・・通信回路、２４３・・・記録媒体制御回路、２４５・・・記録媒体、２４７・・・ビデオ信号出力回路、２４９・・・液晶モニタ駆動回路、２５３・・・スイッチ検出回路、２５５・・・各種スイッチ、２５７・・・レンズ着脱検出スイッチ、２６１・・・データバス、２７１・・・ＡＳＩＣ、３００・・・通信接点
【図１】
2009122557.tif 000003
【図２】
2009122557.tif 000004
【図３】
2009122557.tif 000005
【図４】
2009122557.tif 000006
【図５】
2009122557.tif 000007
【図６】
2009122557.tif 000008